(57)【要約】【課題】液晶表示装置において、映像表示エラーが発生した場合、問題の発生箇所を容易に特定する。【解決手段】映像処理部は映像データから映像信号を生成するメイン回路１１と、液晶パネルを駆動させるタイミング信号を生成するタイミングコントローラ（Ｔ−ＣＯＮ回路）１２とを備える。Ｔ−ＣＯＮ回路１２は、テスト映像信号が記憶されたテスト映像信号記憶部１２ａを有する。メイン回路１１から信号ライン４３を介してハイレベル信号が供給されと、トランジスタＴｒ１〜Ｔｒ３はそれぞれオン状態となり、Ｔ−ＣＯＮ回路１２には電源電圧信号が供給され、ＣＬＫＰ信号及びＣＬＫＮ信号が供給されない。この状態のとき、Ｔ−ＣＯＮ回路１２は、メイン回路１１からテスト映像を表示する旨の指示を受けたと判断し、テスト映像信号記憶部１２ａに記憶されたテスト映像信号に基づいてタイミング信号を生成し、液晶ディスプレイ部に送出する。【選択図】図６
2010078874.tif 000002
【特許請求の範囲】
【請求項１】
映像を表示するための液晶パネルをタイミング信号に基づいて駆動させる液晶駆動手段と、
映像信号に基づいて前記タイミング信号の生成、及び送出を行うタイミング制御手段と、
装置各部を制御すると共に、前記タイミング制御手段に前記映像信号を送出する制御手段とを備え、
前記タイミング制御手段は、前記制御手段から送出された前記映像信号に基づいて前記タイミング信号を生成した後、生成したタイミング信号を前記液晶駆動手段に送出する液晶表示装置において、
テスト映像を表示するためのテスト映像信号が記憶された記憶手段をさらに備え、
前記タイミング制御手段は、前記液晶駆動手段に送出するタイミング信号を、前記制御手段から送信された映像信号に基づくタイミング信号、又は前記記憶手段に記憶されたテスト映像信号に基づくタイミング信号のうちのいずれかに切替えることができることを特徴とする液晶表示装置。
【請求項２】
前記記憶手段は、前記タイミング制御手段内に設けられていることを特徴とする請求項１に記載の液晶表示装置。
【請求項３】
前記液晶パネルに表示される映像を切替えるための表示映像切替手段を有する操作手段をさらに備え、
前記タイミング制御手段は、前記表示映像切替手段が操作されたとき、前記テスト映像信号に基づくタイミング信号を生成した後、生成したタイミング信号を前記液晶駆動手段に送出することを特徴とする請求項１又は２に記載の液晶表示装置。
【請求項４】
前記制御手段から出力される制御信号に応じて、電源ラインから前記タイミング制御手段に出力される信号を制御するスイッチ手段をさらに備え、
前記制御手段が前記スイッチ手段に制御信号を出力することにより、前記タイミング制御手段に前記電源ラインの電源電圧が出力されたとき、該タイミング制御手段は、前記テスト映像信号に基づくタイミング信号を生成した後、生成したタイミング信号を前記液晶駆動手段に送出することを特徴とする請求項１又は２に記載の液晶表示装置。
【請求項５】
前記スイッチ手段はトランジスタであり、
前記トランジスタのベースが前記制御手段に接続され、該トランジスタのコレクタが抵抗を介して電源ラインに接続され、該トランジスタのエミッタが前記タイミング制御手段に接続され、
前記制御手段が前記トランジスタのベースにハイレベル信号を出力することにより、前記タイミング制御手段に前記電源ラインの電源電圧が出力されたとき、該タイミング制御手段は、前記テスト映像信号に基づくタイミング信号を生成した後、生成したタイミング信号を前記液晶駆動手段に送出することを特徴とする請求項４に記載の液晶表示装置。
【発明の詳細な説明】
【技術分野】
【０００１】
本発明は、液晶ディスプレイに映像が正常に表示されない場合において、問題の発生箇所を容易に特定できる液晶表示装置に関する。
【背景技術】
【０００２】
近年、液晶ディスプレイを用いた液晶表示装置が普及している。この種の液晶表示装置は、映像信号に基づくタイミング信号をソースドライバやゲートドライバ等から構成される液晶駆動部に送信することにより液晶パネルを駆動させて液晶ディスプレイ上に所望の映像を表示させる。
【０００３】
従来、この種の液晶表示装置において、液晶ディスプレイ上に映像が正常に表示されない問題（以下、映像表示エラーという）が発生した場合、外部のテスト信号発生装置を用いて、テストパターンを液晶ディスプレイに表示させたり、装置内部の各回路における波形等を直接測定したりすることによって、映像表示エラーの発生箇所を特定していた（例えば、特許文献１参照）。しかしながら、この種の方法では、外部装置が必要となるため映像表示エラーの発生箇所の発見に手間がかかるという問題がある。また、作業者が映像表示エラーの発生箇所を容易に特定することができないという問題もある。
【０００４】
これに対して、特許文献２には、テストパターン信号発生回路を内蔵し、映像信号に代えて内部で発生させたテストパターン信号を表示することができる表示装置が開示されている。また、特許文献３には、表示パターン作成回路を内蔵し、表示検査の際に表示パターン作成回路によって作成された内部信号に基づいて表示を行うことができる表示装置が開示されている。しかしながら、これらの装置では、外部装置は不要となるが、映像表示エラーの発生箇所を容易に特定することができない。
【０００５】
ところで、特許文献４には、テストパターンの一部領域にＯＳＤ（オン・スクリーン・ディスプレイ）信号に基づく情報を表示させることにより、製造過程において調整者が映像表示処理おける調整値や調整モードの調整を行うことができる映像表示装置が開示されている。しかしながら、この装置では上記問題を解決できない。
【特許文献１】特開２００６−１３９３２号公報
【特許文献２】特開平１０−２７４９５７号公報
【特許文献３】特開平８−１８４７９４号公報
【特許文献４】特開２００４−１２５９３８号公報
【発明の開示】
【発明が解決しようとする課題】
【０００６】
本発明は、上記問題点を鑑みてなされたものであり、映像表示エラーが発生した場合において、問題の発生箇所を特定しやすい液晶表示装置を提供することを目的とする。
【課題を解決するための手段】
【０００７】
上記目的を達成するため、請求項１の発明は、映像を表示するための液晶パネルをタイミング信号に基づいて駆動させる液晶駆動手段と、映像信号に基づいて前記タイミング信号の生成、及び送出を行うタイミング制御手段と、装置各部を制御すると共に、前記タイミング制御手段に前記映像信号を送出する制御手段とを備え、前記タイミング制御手段は、前記制御手段から送出された前記映像信号に基づいて前記タイミング信号を生成した後、生成したタイミング信号を前記液晶駆動手段に送出する液晶表示装置において、テスト映像を表示するためのテスト映像信号が記憶された記憶手段をさらに備え、前記タイミング制御手段は、前記液晶駆動手段に送出するタイミング信号を、前記制御手段から送信された映像信号に基づくタイミング信号、又は前記記憶手段に記憶されたテスト映像信号に基づくタイミング信号のうちのいずれかに切替えることができるものである。
【０００８】
請求項２の発明は、請求項１の発明において、前記記憶手段は、前記タイミング制御手段内に設けられているものである。
【０００９】
請求項３の発明は、請求項１又は請求項２の発明において、前記液晶パネルに表示される映像を切替えるための表示映像切替手段を有する操作手段をさらに備え、前記タイミング制御手段は、前記表示映像切替手段が操作されたとき、前記テスト映像信号に基づくタイミング信号を生成した後、生成したタイミング信号を前記液晶駆動手段に送出するものである。
【００１０】
請求項４の発明は、請求項１又は請求項２の発明において、前記制御手段から出力される制御信号に応じて、電源ラインから前記タイミング制御手段に出力される信号を制御するスイッチ手段をさらに備え、前記制御手段が前記スイッチ手段に制御信号を出力することにより、前記タイミング制御手段に前記電源ラインの電源電圧が出力されたとき、該タイミング制御手段は、前記テスト映像信号に基づくタイミング信号を生成した後、生成したタイミング信号を前記液晶駆動手段に送出するものである。
【００１１】
請求項５の発明は、請求項４の発明において、前記スイッチ手段はトランジスタであり、前記トランジスタのベースが前記制御手段に接続され、該トランジスタのコレクタが抵抗を介して電源ラインに接続され、該トランジスタのエミッタが前記タイミング制御手段に接続され、前記制御手段が前記トランジスタのベースにハイレベル信号を出力することにより、前記タイミング制御手段に前記電源ラインの電源電圧が出力されたとき、該タイミング制御手段は、前記テスト映像信号に基づくタイミング信号を生成した後、生成したタイミング信号を前記液晶駆動手段に送出するものである。
【発明の効果】
【００１２】
本発明によれば、タイミング制御手段は、液晶駆動手段に送出するタイミング信号を、制御手段から送信された映像信号に基づくタイミング信号、又はテスト映像信号に基づくタイミング信号のうちのいずれかに切替えることができる。そのため、例えば、映像表示エラーが発生しているときに、テスト映像信号に基づくタイミング信号によって液晶パネルを駆動させても表示エラーが解消しない場合には、エラー発生箇所がタイミング制御手段であると特定することができる。一方、正常にテスト映像が表示される場合には、エラー発生箇所は制御手段側であると特定することができる。従って、従来と異なり、外部装置を必要とせずにエラー発生箇所を容易に特定することができる。
【発明を実施するための最良の形態】
【００１３】
以下、本発明の一実施形態に係る液晶テレビジョン受像機（以下、液晶テレビという）について、図１乃至図３を参照して説明する。ここでは、請求項における液晶表示装置の一例として液晶テレビ１を示すが、本発明の液晶表示装置はこれに限られない。図１は、液晶テレビ１の外観を示し、図２は、液晶テレビ１の構成を示すブロック図であり、図３は、液晶テレビ１を操作するためのリモコン装置（操作手段）２の上面図である。液晶テレビ１は、放送局から配信されるテレビジョン放送信号（以下、テレビ放送信号という）を受信して、テレビ放送信号に基づく映像を表示すると共に、テレビ放送信号に基づく音声を出力する装置である。
【００１４】
液晶テレビ１は、テレビ番組や表示テスト用の映像を表示するための液晶ディスプレイ部３と、音声を出力するスピーカ４と、外部のアンテナに接続され、このアンテナにより受信されるテレビ放送信号の所望の番組を選局するチューナ５とを備える。また、液晶テレビ１は、筐体外部に露出するように設けられた端子部６と、装置本体とは別体となるリモコン装置２から送信された操作信号を受信する受信部７と、映像や音声等の処理を行うと共に、装置各部の制御を行うための制御部（制御手段）８とをさらに備える。
【００１５】
液晶テレビ１は、制御部８による制御に基づき、例えばチューナ５により選局されたテレビ番組や、端子部６にケーブルを介して入力される映像・音声等を液晶ディスプレイ部３やスピーカ４を介して視聴可能にすることができる。制御部８は、チューナ５によって受信されたテレビ放送信号に基づく映像信号を液晶ディスプレイ部３に出力する映像処理部８ａと、テレビ番組の音声信号をスピーカ３に出力する音声処理部８ｂとを有する。
【００１６】
リモコン装置２は、図３に示すように、所望のテレビチャンネルを選択するための複数のキーが配設されており、液晶テレビ１に対して操作信号を送信するための送信部２１と、「０」〜「９」までの数字キー２２（２２ａ〜２２ｊ）と、決定キー２３とを有する。また、リモコン装置２は、音声再生時などにスピーカ４から出力する音量値の調節や各種設定の選択を行うための左右キー２４ａ、２４ｂと、液晶ディスプレイ部３上に表示テスト用の映像（以下、テスト映像という）を表示させるためのテスト映像表示ボタン（表示映像切替手段）２５をさらに備える。通常、液晶ディスプレイ部３には、テレビ放送信号に基づく映像が表示されるが、例えばメーカーの作業者等によってテスト映像表示ボタン２５が操作されると、液晶ディスプレイ部３にテスト映像が表示される。なお、テスト映像表示ボタン２５は、通常使用時には操作されないボタンであるため、例えば、作業者によって数秒間長押されることによって操作されるボタンであってもよい。
【００１７】
次に、映像処理部８ａと液晶ディスプレイ部３の構成について、図４を参照して説明する。図４は、映像処理部８ａと液晶ディスプレイ部３のそれぞれの構成を示すブロック図である。
【００１８】
映像処理部８ａは、チューナ５から出力されるテレビ放送信号に含まれる映像データから映像信号を生成するメイン回路（制御手段）１１と、映像信号に基づいて液晶パネルを駆動させるタイミング信号を生成するタイミングコントローラ（以下、Ｔ−ＣＯＮ回路という；請求項におけるタイミング制御手段）１２とを備える。液晶ディスプレイ部３は、液晶パネル３１と、ソースドライバ（液晶駆動手段）３２と、ゲートドライバ（液晶駆動手段）３３と、複数のデータ信号線３４と、複数のゲート信号線３５とを備える。
【００１９】
メイン回路１１は、ビデオプロセッサ１１ａと、スケーリングプロセッサ１１ｂと、パネルプロセッサ１１ｃと、ＯＳＤ表示部１１ｄと、制御用マイコン１１ｅとを有する。ビデオプロセッサ１１ａは、チューナ５から受信したテレビ放送信号の映像データに対してゲイン調節処理、色データの復調処理、コントラスト調整処理、ブライト調整処理、カラー＆ティント調整処理、及び肌色補正処理などの処理を必要に応じて行う。
【００２０】
スケーリングプロセッサ１１ｂは、ビデオプロセッサ１１ａから出力された映像信号に対して水平縮小や拡大縮小の処理などを必要に応じて行う。パネルプロセッサ１１ｃは、スケーリングプロセッサ１１ｂにて変換された映像信号に対してアスペクト比の変更処理、画像の輪郭補正処理、彩度の調整処理、ガンマ補正処理、及びブライトコントラスト調整処理等を必要に応じて行う。
【００２１】
ＯＳＤ表示部１１ｄは、例えば、音量、ＴＶの受信チャンネル、時間等の情報を表示するものであり、映像信号に対してこれらの情報を合成するための合成処理を行う。制御用マイコン１１ｅは、ビデオプロセッサ１１ａ、スケーリングプロセッサ１１ｂ、パネルプロセッサ１１ｃ、及びＯＳＤ表示部１１ｄを制御する。
【００２２】
Ｔ−ＣＯＮ回路１２は、メイン回路１１から出力される映像信号に基づいて、ソースドライバ３２及びゲートドライバ３３を駆動するためのタイミング信号を生成し、映像信号とタイミング信号とをソースドライバ３２及びゲートドライバ３３に送出する。また、Ｔ−ＣＯＮ回路１２は、液晶ディスプレイ部３にテスト映像を表示させるためのテスト映像信号が記憶されたテスト映像信号記憶部（記憶手段）１２ａを有する。Ｔ−ＣＯＮ回路１２は、メイン回路１１からの指示信号に基づいて、テスト映像信号に基づくタイミング信号や映像信号をソースドライバやゲートドライバに送出する。テスト映像は、例えば、黒ベタパターンや白ベタパターン等の映像である。
【００２３】
液晶ディスプレイ部３のソースドライバ３２及びゲートドライバ３３は、液晶パネル３１に映像を表示させるために、Ｔ−ＣＯＮ回路１２から出力されたタイミング信号に基づいて液晶パネル３１を駆動させるものであり、液晶パネル３１の異なる一辺側にそれぞれ配置されている。複数のデータ信号線３４及び複数のゲート信号線３５は、液晶パネル３１の周辺に配置されている。
【００２４】
液晶パネル３１は、マトリクス状に配置された複数のＴＦＴ等の画素（図示せず）を、データ信号線３４及びゲート信号線３５が交差する位置に有する。各画素には、いずれもデータ信号線３４及びゲート信号線３５が接続されている。ソースドライバ３２は、複数のデータ信号線３４のそれぞれに対して、そのデータ信号線３４に接続された各画素の映像表示データに対応する映像信号を供給する。ゲートドライバ３３は、対応するゲート信号線３５に対して、そのゲート信号線３５に接続された各画素を選択駆動するためのアドレス信号を供給する。
【００２５】
次に、液晶テレビ１の映像表示エラーの発生箇所の特定手順について、図５に示すフローチャートを参照して説明する。ここでは、液晶ディスプレイ部３上に表示される映像が正常に表示されていないものとする。まず、メーカーの作業者等によってリモコン装置２のテスト映像表示ボタン２５が操作されると（Ｓ１）、メイン回路１１がＴ−ＣＯＮ回路１２にテスト映像を表示させる旨の指示信号を送信する（Ｓ２）。そして、Ｔ−ＣＯＮ回路２は、ソースドライバ３２及びゲートドライバ３３に送出するタイミング信号を、テスト映像信号記憶部１２ａに記憶されたテスト映像信号に基づいたタイミング信号に切替えて送出し、液晶ディスプレイ部３にテスト映像を表示させる（Ｓ３）。
【００２６】
このとき、テスト映像が、正常に表示された場合（Ｓ４でＹＥＳ）、作業者等はＴ−ＣＯＮ回路１２に問題は無く、映像信号がＴ−ＣＯＮ回路１２に入力されるよりも前の処理においてエラーが発生している、すなわち、メイン回路１１側でエラーが発生していると判断できる。一方、テスト映像が正常に表示されない場合（Ｓ４でＮＯ）、作業者等はＴ−ＣＯＮ回路１２に問題が発生していると判断することができる。
【００２７】
次に、メイン回路１１とＴ−ＣＯＮ回路１２の接続回路の一例について、図６に示す回路図を参照して説明する。メイン回路１１は、信号ライン４１を介して、Ｌｏｗ  Ｖｏｌｔａｇｅ  Ｄｉｆｆｅｒｅｎｃｉａｌ  Ｓｉｇｎａｌｉｎｇ（以下、ＬＶＤＳという）規格のクロック信号（以下、ＣＬＫＰ信号という）をＴ−ＣＯＮ回路１２及びトランジスタ（スイッチ手段）Ｔｒ３のコレクタ端子Ｔｒ３ｂに送出している。また、メイン回路１１は、信号ライン４２を介して、ＬＶＤＳ規格のクロック信号（以下、ＣＬＫＮ信号という）を、Ｔ−ＣＯＮ回路１２とトランジスタ（スイッチ手段）Ｔｒ２のコレクタ端子Ｔｒ２ｂに供給している。また、メイン回路１２は、信号ライン４３を介して、例えば５ＶであるＨｉｇｈレベル信号（以下、Ｈｉｇｈ信号という；請求項における制御信号）、又は例えば０ＶであるＬｏｗレベル信号（以下、Ｌｏｗ信号という；請求項における制御信号）を、トランジスタ（スイッチ手段）Ｔｒ１〜Ｔｒ３のそれぞれのベース端子Ｔｒ１ａ〜Ｔｒ３ａに供給している。
【００２８】
トランジスタＴｒ１のコレクタ端子Ｔｒ１ｂは、抵抗Ｒ及び電源ライン４４を介して、３．３Ｖの電源電圧端子４６と接続され、トランジスタＴｒ１のエミッタ端子Ｔｒ１ｃは、信号入力ライン４５を介してＴ−ＣＯＮ回路１２のＰＧＥＮ端子と接続されている。トランジスタＴｒ２、Ｔｒ３のそれぞれのエミッタ端子Ｔｒ２ｃ、Ｔｒ３ｃは、電圧が０Ｖであるアース端子４７に接続されている。
【００２９】
メイン回路１２が、信号ライン４３を介してＨｉｇｈ信号を供給すると、トランジスタＴｒ１〜Ｔｒ３のそれぞれのコレクタ端子Ｔｒ１ｂ〜Ｔｒ３ｂ・エミッタ端子Ｔｒ１ｃ〜Ｔｒ３ｃ間が導通状態（以下、オン状態という）となる。一方、メイン回路１２が、信号ライン４３を介してＬｏｗ信号を供給すると、トランジスタＴｒ１〜Ｔｒ３のそれぞれのコレクタ端子Ｔｒ１ｂ〜Ｔｒ３ｂ・エミッタ端子Ｔｒ１ｃ〜Ｔｒ３ｃ間が非導通状態（以下、オフ状態という）となる。
【００３０】
液晶テレビ１の通常の使用状態、すなわち、テスト映像表示ボタン２５が操作されていない状態においては、メイン回路１１からは信号ライン４３を介してＬｏｗ信号が供給されている。このとき、トランジスタＴｒ１〜Ｔｒ３はそれぞれオフ状態となるため、Ｔ−ＣＯＮ回路１２のＰＧＥＮ端子には、信号入力ライン４５を介して電源電圧信号は供給されない。一方、このとき、Ｔ−ＣＯＮ回路１２には、信号ライン４１を介してＣＬＫＰ信号が供給され、信号ライン４２を介してＣＬＫＮ信号が供給される。
【００３１】
作業者等によってリモコン装置２のテスト映像表示ボタン２５が操作されると、メイン回路１１からは信号ライン４３を介してＨｉｇｈ信号が供給される。このとき、トランジスタＴｒ１〜Ｔｒ３は、それぞれオン状態となるため、Ｔ−ＣＯＮ回路１２のＰＧＥＮ端子には信号入力ライン４５を介して電源電圧信号（電源電圧）が供給される。また、このとき、Ｔ−ＣＯＮ回路１２には、信号ライン４１及び信号ライン４２からＣＬＫＰ信号及びＣＬＫＮ信号が供給されない。この状態のとき、Ｔ−ＣＯＮ回路１２は、メイン回路１１からテスト映像を表示する旨の指示を受けたと判断し、テスト映像信号記憶部１２ａに記憶されたテスト映像信号に基づいてタイミング信号を生成し、タイミング信号と映像信号を液晶ディスプレイ部３に送出する。これにより、液晶ディスプレイ部３にテスト映像が表示される。
【００３２】
上述したように、本実施形態に係る液晶テレビ１によれば、Ｔ−ＣＯＮ回路１２は、ソースドライバ３２及びゲートドライバ３３に送出するタイミング信号を、メイン回路１１から送信された映像信号に基づくタイミング信号、又はテスト映像信号記憶部１２ａに記憶されたテスト映像信号に基づくタイミング信号のうちのいずれかに切替えることができる。そのため、例えば、映像表示エラーが発生したときに、テスト映像信号に基づくタイミング信号によって液晶パネル３１を駆動させても表示エラーが解消しない場合には、エラー発生箇所がＴ−ＣＯＮ回路１２であると特定することができる。一方、正常にテスト映像が表示される場合には、エラー発生箇所はメイン回路１１側であると特定することができる。従って、従来と異なり、外部装置を必要とせずにエラー発生箇所を容易に特定することができる。
【００３３】
なお、本発明は、上記実施形態の構成に限られず、発明の趣旨を変更しない範囲で種々の変形が可能である。例えば、上記の実施形態において、テスト映像信号記憶部１２ａがＴ−ＣＯＮ回路１２に内蔵されている例を示したがこれに限られず、Ｔ−ＣＯＮ回路１２の外部に設けられてもよい。また、リモコン装置２のテスト映像表示ボタンが押下されたときにテスト映像が表示される例を示したがこれに限られず、例えば、複数のボタンを同時に押す等の他の所定の操作が行われたときにテスト映像が表示されるものであってもよい。
【図面の簡単な説明】
【００３４】
【図１】本発明の一実施形態に係る液晶テレビの一例を示す図。
【図２】上記液晶テレビの構成を示すブロック図。
【図３】上記液晶テレビを操作するリモコン装置の上面を示す図。
【図４】上記液晶テレビの映像処理部及び液晶ディスプレイ部の構成を示すブロック図。
【図５】上記液晶テレビの映像表示エラー発生箇所の特定手順を示すフローチャート。
【図６】上記液晶テレビのメイン回路とＴ−ＣＯＮ回路の接続構成の一例を示す回路図。
【００３５】
１  液晶テレビ（液晶表示装置）
２  リモコン装置（操作手段）
３  液晶ディスプレイ部
８  制御部（制御手段）
１１  メイン回路（制御手段）
１２  Ｔ−ＣＯＮ回路（タイミング制御手段）
２５  テスト映像表示ボタン（表示映像切替手段）
３１  液晶パネル
３２  ソースドライバ（液晶駆動手段）
３３  ゲートドライバ（液晶駆動手段）
４４  電源ライン
１２ａ  テスト映像信号記憶部（記憶手段）
Ｔｒ１〜Ｔｒ３  トランジスタ（スイッチ手段）
Ｔｒ１ａ〜Ｔｒ３ａ  ベース端子（ベース）
Ｔｒ１ｂ〜Ｔｒ３ｂ  コレクタ端子（コレクタ）
Ｔｒ１ｃ〜Ｔｒ３ｃ  エミッタ端子（エミッタ）
【図１】
2010078874.tif 000003
【図２】
2010078874.tif 000004
【図３】
2010078874.tif 000005
【図４】
2010078874.tif 000006
【図５】
2010078874.tif 000007
【図６】
2010078874.tif 000008